(57)【要約】【課題】  エレベータのかご壁面を有効利用すると共に、種々の映像コンテンツを入れ替え自在に表示することができるエレベータのかご内表示装置及び表示方法を提供する。【解決手段】  エレベータのかご室内の背面パネルの一部を構成し鏡面機能を有する半透明部材と、当該半透明部材の裏面側に設けられ、前記半透明部材を介して映像コンテンツを前記かご室内に表示させるモニターとを有するモニター付きミラーと、前記モニター付きミラーに前記映像コンテンツを供給する記憶媒体が装着される記憶媒体装着部とを備え、前記記憶媒体装着部の設置箇所は、前記モニターの裏面若しくは側面、前記背面パネルの下辺を構成する背面下板部材内、この背面下板部材とかご床面との間に設けられる幅木内、かご室に設けられたスイッチボックス内、かご上に設けられた操作ボックス、又はエレベータを制御する制御盤の少なくとも何れかである。【選択図】  図１
2017114671.tif 000002
【特許請求の範囲】
【請求項１】
エレベータのかご室内の背面パネルの一部を構成し鏡面機能を有する半透明部材と、当該半透明部材の裏面側に設けられ、前記半透明部材を介して映像コンテンツを前記かご室内に表示させるモニターとを有するモニター付きミラーと、前記モニター付きミラーに前記映像コンテンツを供給する記憶媒体が装着される記憶媒体装着部とを備え、
前記記憶媒体装着部の設置箇所は、前記モニターの裏面若しくは側面、前記背面パネルの下辺を構成する背面下板部材内、この背面下板部材とかご床面との間に設けられる幅木内、かご室に設けられたスイッチボックス内、かご上に設けられた操作ボックス、又はエレベータを制御する制御盤の少なくとも何れかである、
ことを特徴とするエレベータの乗りかご内表示装置。
【請求項２】
前記記憶媒体装着部は、前記設置箇所に取り付けられる取付本体と、当該取付本体に対して前記設置箇所側に回動可能に設けられ前記記憶媒体が挿入される挿入口とを備え、当該挿入口に挿入された記憶媒体は、前記取付本体を回動軸として前記設置箇所側に回動されて前記設置箇所に折り畳み収納される、
ことを特徴とする請求項１記載のエレベータの乗りかご内表示装置。
【請求項３】
エレベータのかご室内の背面パネルの一部を構成し鏡面機能を有する半透明部材と、当該半透明部材の裏面側に設けられ、前記半透明部材を介して映像コンテンツを前記かご室内に表示させるモニターとを有するモニター付きミラーと、前記モニター付きミラーに前記映像コンテンツを供給する記憶媒体が装着される記憶媒体装着部とを備え、前記映像コンテンツを表示しない鏡面機能と、前記映像コンテンツを表示する映像コンテンツ表示機能とを切り替える表示方法であって、
乗り場及びかご室内で車いす専用ボタンが押されていない場合、映像コンテンツ表示機能が有効となって映像コンテンツを表示し、
乗り場側で車いす専用ボタンが押された場合、乗り場階に着床し戸開時には鏡面機能が有効となって映像コンテンツは表示されず、
車いす利用者が乗車して戸閉後は、鏡面機能から映像コンテンツ表示機能に移行して映像コンテンツの表示を開始し、
乗りかごが車いす利用者の降車目的階に着床後は、映像コンテンツの表示を停止して鏡面機能に移行する、
ことを特徴とする表示方法。
【請求項４】
エレベータのかご室内の背面パネルの一部を構成し鏡面機能を有する半透明部材と、当該半透明部材の裏面側に設けられ、前記半透明部材を介して映像コンテンツを前記かご室内に表示させるモニターとを有するモニター付きミラーと、前記モニター付きミラーに前記映像コンテンツを供給する記憶媒体が装着される記憶媒体装着部とを備え、前記映像コンテンツを表示しない鏡面機能と、前記映像コンテンツを表示する映像コンテンツ表示機能とを切り替える表示方法であって、
乗り場及びかご室内で車いす専用ボタンが押されていない場合、前記映像コンテンツ表示機能が有効となって映像コンテンツを表示し、
乗り場側で車いす専用ボタンが押された場合、乗り場階に着床し戸開時には映像コンテンツは表示されており、
前記車いす利用者の降車目的階に着床後、映像コンテンツの表示を停止して鏡面機能に移行する、
ことを特徴とする表示方法。
【発明の詳細な説明】
【技術分野】
【０００１】
本発明の実施形態は、エレベータの乗りかご内表示装置及び表示方法に関する。
【背景技術】
【０００２】
エレベータの乗りかご内には、行先階や停止階等を案内表示する表示装置がある。また、最近では、宣伝広告や装飾映像等のコンテンツ（以下、「映像コンテンツ」とも称する）を表示する液晶表示装置を備えたエレベータもある。
【０００３】
一方、最近の表示装置・映像配信システムとしては、ネットワークを介して映像を配信するデジタルサイネージが知られている。また、デジタルサイネージの一つとして、鏡の中に映像コンテンツが流れるようなミラー型のディスプレイもミラーサイネージとして実用化されている。
【先行技術文献】
【特許文献】
【０００４】
【特許文献１】特開２０１０−１９０９５４号公報
【発明の概要】
【発明が解決しようとする課題】
【０００５】
エレベータのかご内の背面パネルには、車いす利用者の乗り降りの便を考慮して鏡が設置されている場合が多い。
【０００６】
一方、ミラーサイネージは店舗内に設置されて様々な映像コンテンツを表示する例として使用されている。
【０００７】
しかし、エレベータのかご壁面にミラーサイネージを利用した例は無く、ミラーサイネージをエレベータのかご内に設置する場合には、車いす利用者等の乗り降りに影響を与えないように映像コンテンツを表示する必要がある。
【０００８】
本発明の実施形態は、エレベータのかご壁面を有効利用すると共に、種々の映像コンテンツを入れ替え自在に表示することができるエレベータのかご内表示装置及び表示方法を提供することを目的とする。
【課題を解決するための手段】
【０００９】
上記目的を達成するための実施形態は、エレベータのかご室内の背面パネルの一部を構成し鏡面機能を有する半透明部材と、当該半透明部材の裏面側に設けられ、前記半透明部材を介して映像コンテンツを前記かご室内に表示させるモニターとを有するモニター付きミラーと、前記モニター付きミラーに前記映像コンテンツを供給する記憶媒体が装着される記憶媒体装着部とを備え、前記記憶媒体装着部の設置箇所は、前記モニターの裏面若しくは側面、前記背面パネルの下辺を構成する背面下板部材内、この背面下板部材とかご床面との間に設けられる幅木内、かご室に設けられたスイッチボックス内、かご上に設けられた操作ボックス、又はエレベータを制御する制御盤の少なくとも何れかであることを特徴とする。
【００１０】
また、他の実施形態は、エレベータのかご室内の背面パネルの一部を構成し鏡面機能を有する半透明部材と、当該半透明部材の裏面側に設けられ、前記半透明部材を介して映像コンテンツを前記かご室内に表示させるモニターとを有するモニター付きミラーと、前記モニター付きミラーに前記映像コンテンツを供給する記憶媒体が装着される記憶媒体装着部とを備え、前記映像コンテンツを表示しない鏡面機能と、前記映像コンテンツを表示する映像コンテンツ表示機能とを切り替える表示方法であって、乗り場及びかご室内で車いす専用ボタンが押されていない場合、映像コンテンツ表示機能が有効となって映像コンテンツを表示し、乗り場側で車いす専用ボタンが押された場合、乗り場階に着床し戸開時には鏡面機能が有効となって映像コンテンツは表示されず、車いす利用者が乗車して戸閉後は、鏡面機能から映像コンテンツ表示機能に移行して映像コンテンツの表示を開始し、乗りかごが車いす利用者の降車目的階に着床後は、映像コンテンツの表示を停止して鏡面機能に移行することを特徴とする。
【図面の簡単な説明】
【００１１】
【図１】（ａ）は乗りかごのミラーサイネージに映像を表示していない状態、（ｂ）は映像を表示している状態を示す説明図。
【図２】ミラーサイネージが開閉可能に取り付けられていることを示すとともに裏面側にＵＳＢ装着部が設けられていることを示す斜視図。
【図３】ミラーサイネージが開閉可能であることを説明する平面断面図。
【図４】ミラーサイネージのロック機構による開閉状態を示す説明図。
【図５】ミラーサイネージの本体に取り付けられるＵＳＢ装着部の他の例を示す斜視図。
【図６】背面パネルの下端の幅木にＵＳＢ装着部を設ける説明図。
【図７】幅木に設けられたＵＳＢ装着部の構成を示す断面図。
【図８】幅木に設けられたＵＳＢ装着部にＵＳＢメモリを装着する様子を示す断面図。
【図９】幅木に設けられたＵＳＢ装着部にＵＳＢメモリを装着する手順を示す説明図であり、（ａ）はＵＳＢメモリ装着前の状態、（ｂ）はＵＳＢメモリを装着して幅木内に収納した状態を示す。
【図１０】ＵＳＢ装着部をスイッチボックスに設置した例を示す説明図。
【図１１】ＵＳＢ装着部をかご上の操作ボックスに設置した例を示す説明図。
【図１２】背面下板部材に設けられたＵＳＢ装着部の構成を示す断面図。
【図１３】背面下板部材に設けられたＵＳＢ装着部にＵＳＢメモリを装着する様子を示す断面図。
【発明を実施するための形態】
【００１２】
図１（ａ）および（ｂ）は、それぞれ、乗りかごのミラーサイネージに映像を表示していない状態、および、映像を表示している状態を示す説明図である。図２は、本実施形態で、ミラーサイネージが開閉可能に取り付けられていることを説明する斜視図である。図３は、本実施形態で、ミラーサイネージが開閉可能であることを説明する平面断面図である。図４は、本実施形態で、ミラーサイネージがロック機構により開閉可能、開閉不能に切り替えられることを示す説明図である。
【００１３】
図１〜図４に示すように、エレベータを構成する本実施形態の乗りかご１０は、背面パネル１４を形成しかご室内側（かご室Ｓの内側）へ開閉可能にされたミラーサイネージ１６と、ミラーサイネージ１６を開閉不能なようにロックするロック機構１８（図４参照）とを備えている。本実施形態では、ミラーサイネージ１６をかご室背面部（かご室の奥側）に配置している。
【００１４】
図３に示すように、乗りかご１０は、ミラーサイネージ１６の裏面側（昇降路側）に遮蔽板２０を備えており、ミラーサイネージ１６の裏面側を閉塞することにより直接、裏面が昇降路に露出しないようにされている。
【００１５】
ミラーサイネージ１６は、背面パネル１４を形成するハーフミラー２２と、ハーフミラー２２の裏面側に設置されたモニター２４とを有する。モニター２４は、背面からＵＳＢメモリＭ１が抜き差し可能なＵＳＢ装着部２８を有している。コンテンツデータが記憶されたＵＳＢメモリＭ１がモニター２４の裏面側からＵＳＢ装着部２８に差し込まれることで、コンテンツデータをモニター２４に供給できるようになっている。そしてモニター２４は、下部に、後述の鍵が入り込んでミラーサイネージ１６をロックするための凹部２９（図４参照）を有する。
【００１６】
また、ミラーサイネージ１６は、図２〜図４に示すように、一方の側縁部に、回動により開閉の切り替えを行うための上側回転軸部３４および下側回転軸部３６を備えている。そして、他方の側縁部に、モニター２４のサイド側から張り出すＬ字状部材３８と、Ｌ字状部材３８の遮蔽板２０側（裏面側）に固定された３つの磁性板４０とを備えている。そして、遮蔽板２０の内側（かご室側）には、磁性板４０を吸着する磁石４２が３箇所、配置されており、ミラーサイネージ１６を閉じているときには磁石４２に磁性板４０が当接して磁力で吸着されている。なお、モニター２４のサイド側から張り出して磁性板４０が固定され得る限り、Ｌ字状部材以外の他の部材であってもよい。また、Ｌ字状部材３８を磁性体で構成して磁性板４０を設けない構成にしてもよい。
【００１７】
ミラーサイネージ１６の周囲には、ミラーサイネージ１６に隣接してかご内壁面を形成している背面部材４６（背面側板部材４６ａ、４６ｂ、背面上板部材４７、および、背面下板部材４８）との間を塞ぐ目地材（モヘア。図示せず）が設けられている。そして、ミラーサイネージ１６を閉じたときには、ハーフミラー２２と背面部材４６の内壁面とが面一になるように設定されている。
【００１８】
ロック機構１８は、かご室内から鍵を差し込む鍵穴部５０と、鍵穴部５０に連続するように固定され、鍵穴部５０に連動して回動する短片状のロック部材５２と、を有する。背面下板部材４８には、ロック部材５２を上方側に回転させたときにロック部材５２の少なくとも先端部側を挿通させるための開口５３が形成されている。この構成により、ロック部材５２の少なくとも先端部が凹部２９に入り込むことでミラーサイネージ１６を開閉不能にし、ロック部材５２が凹部２９から外れることでミラーサイネージ１６を開閉可能にする構成になっている。
【００１９】
更に、乗りかご１０は、ミラーサイネージ１６の下部にキャスター５４を有している。ミラーサイネージを閉じた状態では、このキャスター５４が、ミラーサイネージ下側に隣接しかご内壁面を形成している背面下板部材４８の上面側に当接しており、キャスター５４は、ミラーサイネージ１６を開閉するときに背面下板部材４８の上面を転がるように配置されている。
【００２０】
（作用、効果）
以下、本実施形態の作用、効果を説明する。本実施形態では、モニター２４に映し出されている映像を、モニター２４に記憶されていない新しい映像に変更する場合、ＵＳＢメモリＭ１を交換することで、新しい映像のコンテンツデータをモニター２４に受信させる。
【００２１】
その際、まず、鍵穴部５０に形成されている鍵穴５１に鍵を挿入する。そして、鍵を回してロック部材５２をミラーサイネージ１６の凹部２９から外すことで、ミラーサイネージ１６をかご室内へ開くことが可能な開閉可能状態（解錠状態）にする。
【００２２】
更に、吸盤（サクションリフタ）をハーフミラー２２面（かご内壁面）に吸い付け、吸盤を引っ張ることで、ミラーサイネージ１６をかご室内へ開く。
【００２３】
そして、ミラーサイネージ１６の裏面側に装着されているＵＳＢメモリＭ１を引抜き、新しいコンテンツデータが記録されているＵＳＢメモリＭ１をＵＳＢ装着部２８に差し込む。
【００２４】
その後、ミラーサイネージ１６を閉じ、吸盤のハーフミラー２２への吸着を解除するとともに、鍵を回してロック部材５２の先端部を凹部２９に挿入してロック状態にする。この結果、ミラーサイネージ１６はロックされて開閉不能状態になる。
【００２５】
従って、本実施形態では、モニター２４のコンテンツデータを交換する際に、このような簡易な構成で、ミラーサイネージ１６を開いてＵＳＢメモリＭ１を交換するという、かご室内での作業で交換することができる。よって、専用の保守員がかご外で作業を行う必要がなく、また、専用の保守員以外であっても、かご室内でＵＳＢメモリＭ１を短時間で容易に交換することができる。
【００２６】
また、本実施形態のロック機構１８は、鍵穴部５０に差し込まれた鍵の回動によりミラーサイネージ１６の開閉可能、開閉不能が切り替えられるようになっているので、ロック機構１８を、簡素で、しかも鍵を有さない乗員では開けられない構成にすることができる。
【００２７】
また、本実施形態では、ミラーサイネージ１６は下部にキャスター５４を有しており、これにより、ミラーサイネージ１６を閉じた状態では、ミラーサイネージ１６の自重を主にキャスター５４で支えることができ、上側回転軸部３４や下側回転軸部３６に過大な曲げモーメントが加えられることを回避できる。
【００２８】
なお、図１（ｂ）では、ミラーサイネージ１６に模様５６が表示される例で描いているが、表示するものは模様に限らず、宣伝のための広告や、スローガンなどを表示してもよい。
【００２９】
また、乗りかご１０は、鍵穴５１を開閉自在に覆う蓋を備えていてもよい。これにより、本実施形態で奏される効果に加え、鍵穴５１がミラーサイネージ１６の下部に配置されていても塵埃などの異物が鍵穴５１に入ることを防止でき、しかも意匠性が向上するという効果も奏される。
【００３０】
この蓋は、着脱自在なキャップ部材で構成されていてもよい。この場合、鍵穴部５０が背面下板部材４８のかご内壁面よりもかご室Ｓの内側に出ていて、キャップ部材はその出ている部分の周囲に係合して覆うものであってもよい。
【００３１】
また、磁石４２および磁性板４０は、複数（例えば、上段、中段、下段の３か所）にわたって配置してもよい。これにより、磁力による吸着力を効果的に高めることができるという効果も奏される。
【００３２】
＜ＵＳＢ装着部の設置場所＞
図５〜図１３はＵＳＢ装着部の設置場所の他の例を示す説明図である。
【００３３】
図２では、ＵＳＢ装着部２８をモニター２４の背面に設け、本体側に垂直にＵＳＢメモリＭ１を挿入する例を示した。設置場所の他の例をまとめて図５に示す。図５には、３例が示されており、第１の例は、モニター２４の上面にＵＳＢ装着部２８Ａを設けてＵＳＢメモリＭ１を上から下方向に挿入する例である。第２の例は、モニター２４の横にＵＳＢ装着部２８Ｂを設けて横からＵＳＢメモリＭ１を挿入する例である。第３の例は、モニター２４の取付用の枠体下側の適宜箇所にＵＳＢ装着部２８Ｃを設けた例である。
【００３４】
＜幅木内にＵＳＢ装着部を設置した例＞
図２や図５に示したＵＳＢ装着部２８，２８Ａ，２８Ｂ，２８Ｃの設置例では、背面パネルを開かないとＵＳＢメモリＭ１を交換することができない。そこで、図６に示すように、ＵＳＢ装着部２８Ｄを幅木６０内に設けることで、背面パネルを開くことなくＵＳＢメモリＭ１を交換するように構成している。
【００３５】
図７、図８は図６のＸ−Ｘ矢視断面を示している。幅木６０は鋼板で構成されており、幅木６０の一部に凹部６２が形成され、この凹部６２にＵＳＢ装着部２８Ｄが取り付けられている。ＵＳＢ装着部２８Ｄを凹部６２に取り付けるには、ネジ止めや接着材、あるいは溶接等、適宜の接合方法を選択できる。
【００３６】
幅木６０の表面部分には、幅木面パネル６４が設けられている。この幅木面パネル６４は磁石６５によって幅木６０に吸着されて幅木６０の表面を覆っている。また、この幅木面パネル６４は回転軸６６を中心に下から上への回動が可能に取り付けられており、ＵＳＢメモリＭ１の変更時などでは幅木面パネル６４を開いて凹部６２を露出させ、ＵＳＢ装着部２８ＤにＵＳＢメモリＭ１を装着可能に構成されている。６８はＵＳＢ装着部２８Ｄとモニター２４とを接続する配線である。
【００３７】
図９に示すように、ＵＳＢ装着部２８Ｄは、凹部６２内にＵＳＢ装着部２８Ｄを取り付けるための取付部６４とこの取付部６４周りに回動自在に設けられた挿入口７２とから成っている。
【００３８】
ＵＳＢメモリＭ１の取付時や変更時には、幅木面パネル６４を開いて凹部６２を露出させる。そして、図９（ｂ）に示すように、ＵＳＢ装着部２８Ｄの挿入口７２にＵＳＢメモリＭ１を挿入する。その状態で、同図（ｂ）示すように、ＵＳＢメモリＭ１を凹部６２側に回動させて凹部６２内に収納する。収納後は、再び、幅木面パネル６４を閉じればよい。
【００３９】
このように、幅木６０内にＵＳＢ装着部２８Ｄを設けることで背面パネル１４自体を開扉することなく、ＵＳＢメモリＭ１の装着、交換が可能となる。
【００４０】
なお、凹部６２を形成する例を示したが、凹部６２ではなく、ＵＳＢ装着部２８Ｄを設けることが可能な開口を形成してこの開口にＵＳＢ装着部２８Ｄを設けるようにしてもよい。
【００４１】
図１０に示す例は、かご内のかご操作盤７４に設けられたスイッチボックス７６内にＵＳＢ装着部２８Ｅを設けたものである。スイッチボックス７６内には、例えば、空調機や照明器等の入切用のスイッチ等が配設されており、常時は、蓋７８が閉じられロックされている。保守点検時には、ロックを解除して蓋７８を開いてスイッチ等を操作する。このボックス７６内の奥にＵＳＢ装着部２８Eを設けることにより、極めて容易にＵＳＢメモリＭ１を交換することが可能となる。なお、スイッチボックス７６内にＵＳＢ装着部２８Ｅを設けるにあたっては、スイッチボックス７６の奥行きが狭いこと、また、エレベータの上下方向の振動によりＵＳＢメモリＭ１が抜け落ちないようにすること等を考慮すると、ＵＳＢメモリＭ１の差込方向は上から下に向かって差すことが望ましい。
【００４２】
図１１に示す例では、かご上８０の上梁８２等に設けられた操作ボックス８４にＵＳＢ装着部２８Ｆを設けたものである。かご上には、保守点検時にかごを上下させる等の運転制御をするための操作ボックス８４を設けた例が多い。この操作ボックス８４にＵＳＢ装着部２８Ｆを設け、配線をダクトボックス（図示せず）からかご室内のモニター２４まで導くだけの簡単な設置工事でＵＳＢ装着部２８Ｆを設置することができる。
【００４３】
なお、図示は省略するが、機械室があるエレベータでは、機械室内の制御盤にＵＳＢ装着部を設け、配線をモニター２４に導くように構成してもよい。さらに、乗り場に設置される乗り場呼び登録装置にＵＳＢ装着部を設けても構わない。この場合、より好ましくは１階等の基準階や最上階の乗り場呼び登録装置への設置がよく、また、１階床にのみ設置しても複数階床に設置してもよい。
【００４４】
＜ＵＳＢ装着部を背面下板部材４８に設けた例＞
図７、図８ではＵＳＢ装着部２８Ｄを幅木６０に設ける例を示したが、図１２、図１３に示すように、ＵＳＢ装着部２８Ｇを背面下板部材４８に設けるようにしてもよい。
【００４５】
すなわち、図１３に示すように、背面下板部材４８の一部に凹部９２を形成し、この凹部９２内にＵＳＢ装着部２８Ｇを取付部を介して回動自在に取り付けるようにしてもよい。
【００４６】
背面下板部材４８の表面部分には、背面下板面パネル９４が設けられている。この背面下板面パネル９４は磁石９５によって背面下板部材４８に吸着されて背面下板部材４８の表面を覆っている。また、この背面下板面パネル９４は回転軸９６を中心に下から上への回動が可能に取り付けられており、ＵＳＢメモリＭ１の変更時などでは背面下板面パネル９４を開いて凹部９２を露出させ、ＵＳＢ装着部２８ＧにＵＳＢメモリＭ１を装着可能に構成されている。９８はＵＳＢ装着部２８Ｇとモニター２４とを接続する配線である。
【００４７】
この場合、ＵＳＢメモリＭ１の取付時や変更時動作は、図９（ａ）、（ｂ）と同様である。すなわち、背面下板面パネル９４を開いて凹部９２を露出させる。そして、図９（ｂ）に示したと同様、ＵＳＢ装着部２８Ｇの挿入口にＵＳＢメモリＭ１を挿入する。その状態で、同図（ｂ）示したと同様に、ＵＳＢメモリＭ１を凹部９２側に回動させて凹部９２内に収納する。収納後は、再び、背面下板パネル９４を閉じればよい。
【００４８】
このように、背面下板部材４８内にＵＳＢ装着部２８Ｇを設けることで背面パネル１４自体を開扉することなく、ＵＳＢメモリＭ１の装着、交換が可能となる。
【００４９】
なお、凹部９２を形成することなく、単に背面下板部材４８に開口を形成してこの開口にＵＳＢ装着部２８Ｇを設けるようにしてもよい。
【００５０】
＜コンテンツの表示方法＞
次に、エレベータのかご室内の背面パネルの一部を構成する半透明ガラス面と、当該半透明ガラス面の裏面側に設けられ、前記半透明ガラス面を介して映像コンテンツを前記かご室内に表示させるモニターとを備え、鏡面機能と映像コンテンツ表示機能とを切り替えて表示するミラーサイネージの表示方法について説明する。
【００５１】
通常のエレベータに設けられている背面ミラーは、車いす利用者が降車する際に後ろ（降り場）を確認するために使用される。ミラーサイネージに映像コンテンツが表示されていると、車いす利用者の利便性が妨げられるので、ミラーサイネージにおける映像コンテンツの表示方法には配慮が必要になる。
【００５２】
＜第１の表示例＞
第１の表示例では、乗り場側で車いす専用ボタンが押された場合、乗り場階に着床し戸開時には映像コンテンツは表示されず、鏡面機能を優先させる。
【００５３】
次いで、車いす利用者が乗車して戸閉後は、鏡面機能から映像コンテンツ表示機能に移行して映像コンテンツの表示を開始する。
【００５４】
そして、乗りかごが車いす利用者の降車目的階に着床後は、映像コンテンツの表示を停止して鏡面機能に移行するという表示方法である。
【００５５】
車いす利用者が乗りかごを利用している場合には、車いす利用者の利便性を優先させ、車いす利用者の乗降に影響を与えない範囲内で映像コンテンツを表示してミラーサイネージのもつ表示機能を提供するようにしている。
【００５６】
＜第２の表示例＞
第２の表示例では、乗り場及びかご室内の双方で車いす専用ボタンが押されていない場合、鏡面機能を停止しても支障がないので、映像コンテンツ表示機能を優先させて映像コンテンツを表示する。
【００５７】
車いす利用者が乗りかごを利用しない場合には、乗りかご運転中は、映像コンテンツを表示しておくことで、ミラーサイネージの持つ広告・宣伝機能や案内機能を十分に利用者に提供することができる。
【００５８】
＜第３の表示例＞
第３の表示例では、乗り場側で車いす専用ボタンが押された場合、乗り場階に着床し戸開時には映像コンテンツは表示されている。そして、乗りかごが車いす利用者の降車目的階に着床後、映像コンテンツの表示を停止して鏡面機能に移行するという表示方法である。また、以上の表示例では、乗り場側に設置される車いす専用ボタンが押された場合を例として説明してきたが、かご側に設置される車いすボタンが押された場合も上述の場合と同様の表示を行うことは可能である。
【００５９】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
Ｍ１…ＵＳＢメモリ（記憶媒体）、１４…背面パネル、１６…ミラーサイネージ（モニター付きミラー）、１８…ロック機構、２０…遮蔽板、２２…ハーフミラー、２４…モニター、２８，２８Ａ，２８Ｂ，２８Ｃ，２８Ｄ，２８Ｅ，２８Ｆ，２９Ｇ…ＵＳＢ装着部（記憶媒体装着部）、２９…凹部、３４…上側回転軸部、３６…下側回転軸部、３８…Ｌ字状部材、４０…磁性板、４２…磁石、４６…背面部材、４６ａ…背面側板部材、４７…背面上板部材、４８…背面下板部材、５０…鍵穴部、５１…鍵穴、５２…ロック部材、５３…開口、５４…キャスター、５６…模様、６０…幅木、６２，９２…凹部、６４…取付部、６４…幅木面パネル、６６，９６…回転軸、７２…挿入口、７４…操作盤、７６…スイッチボックス、７８…蓋、８０…かご上、８２…上梁、８４…操作ボックス、９４…背面下板パネル
【図１】
2017114671.tif 000003
【図２】
2017114671.tif 000004
【図３】
2017114671.tif 000005
【図４】
2017114671.tif 000006
【図５】
2017114671.tif 000007
【図６】
2017114671.tif 000008
【図７】
2017114671.tif 000009
【図８】
2017114671.tif 000010
【図９】
2017114671.tif 000011
【図１０】
2017114671.tif 000012
【図１１】
2017114671.tif 000013
【図１２】
2017114671.tif 000014
【図１３】
2017114671.tif 000015
【手続補正書】
【提出日】平成29年2月16日(2017.2.16)
【手続補正１】
【補正対象書類名】特許請求の範囲
【補正対象項目名】全文
【補正方法】変更
【補正の内容】
【特許請求の範囲】
【請求項１】
エレベータのかご室内の背面パネルの一部を構成し鏡面機能を有する半透明部材と、当該半透明部材の裏面側に設けられ、前記半透明部材を介して映像コンテンツを前記かご室内に表示させるモニターとを有するモニター付きミラーと、前記モニター付きミラーに前記映像コンテンツを供給する記憶媒体が装着される記憶媒体装着部とを備え、
前記記憶媒体装着部は、前記背面パネルの下辺を構成する背面下板部材とかご床面との間に設けられる幅木内に設けられ、
当該幅木は、前記記憶媒体の収納空間となる凹部と、この凹部内に設けられた取付部と、前記取付部に設けられ収納空間側とかご室側との間で回動可能な挿入口とを備え、
前記記憶媒体は、前記かご室側に位置した前記挿入口に挿入された後、前記取付部回りを回動させて前記凹部に折り畳み収納される、
ことを特徴とするエレベータの乗りかご内表示装置。
【請求項２】
エレベータのかご室内の背面パネルの一部を構成し鏡面機能を有する半透明部材と、当該半透明部材の裏面側に設けられ、前記半透明部材を介して映像コンテンツを前記かご室内に表示させるモニターとを有するモニター付きミラーと、前記モニター付きミラーに前記映像コンテンツを供給する記憶媒体が装着される記憶媒体装着部とを備え、
前記記憶媒体装着部は、かご室に設けられたスイッチボックス内に設けられ、
当該スイッチボックス内には、前記記憶媒体が挿入される挿入口が、スイッチボックス内の左右方向の中心よりもかご室を構成する側板から離れた位置に設けられ、
前記記憶媒体は、前記スイッチボックスの前記挿入口に対して上方から下方に向けて挿入される、
ことを特徴とするエレベータの乗りかご内表示装置。
【請求項３】
エレベータのかご室内の背面パネルの一部を構成し鏡面機能を有する半透明部材と、当該半透明部材の裏面側に設けられ、前記半透明部材を介して映像コンテンツを前記かご室内に表示させるモニターとを有するモニター付きミラーと、前記モニター付きミラーに前記映像コンテンツを供給する記憶媒体が装着される記憶媒体装着部とを備え、
前記記憶媒体装着部は、前記背面パネルの下辺を構成する背面下板部材に設けられ、
当該背面下板部材は、前記記憶媒体の収納空間となる凹部と、この凹部内に設けられた取付部と、前記取付部に設けられ収納空間側とかご室側との間で回動可能な挿入口とを備え、
前記記憶媒体は、前記かご室側に位置した前記挿入口に挿入された後、前記取付部回りを回動させて前記凹部に折り畳み収納される、
ことを特徴とするエレベータの乗りかご内表示装置。